(57)【特許請求の範囲】
【請求項１】
伸縮性および弾力性を有する１枚の平板状の布地からなり、
前記布地は、
装着時に鼻、口およびおとがいを覆う本体部と、
耳掛け孔を有し、前記本体部の左右にそれぞれ形成された耳掛けと、
前記耳掛けよりも左右方向内側、かつ、前記布地の上下方向中間部から上端までの任意の位置に形成され、前記耳掛けを通すための左右の通し孔と、
前記布地の下側かつ前記本体部の左右方向外側部分であって装着時に下顎角部を覆う下顎角囲み部と、を備え、
前記耳掛けを前記布地の内側から外側に向かって前記通し孔に通し、前記本体部を鼻および口にあてて前記耳掛けを左右に引っ張って耳に掛けることにより、前記本体部の上側および中央が鼻および口を覆うとともに前記本体部の下側がおとがいをくるみ、かつ、前記下顎角囲み部が下顎角部をくるむよう構成されている
ことを特徴とするマスク。
【請求項２】
前記布地は、ポリウレタンを含むとともに、ハイテンションニットによって構成されている
ことを特徴とする請求項１に記載のマスク。
【請求項３】
前記布地は、ポリウレタンを含むとともに、ダンボールニットによって構成されている
ことを特徴とする請求項１に記載のマスク。
【請求項４】
前記布地は、ポリウレタンを７重量％〜１５重量％含むとともに、ポリエステル、絹、綿、麻、羊毛、レーヨン、キュプラ、テンセル、ナイロン、ポリエチレン、トリアセテート、ジアセテートのいずれかを８５重量％〜９３重量％含む
ことを特徴とする請求項１〜３のいずれか１項に記載のマスク。
【請求項５】
前記通し孔は、上下に延びる切込線からなる
ことを特徴とする請求項１〜４のいずれか１項に記載のマスク。
【請求項６】
前記通し孔は、上下に複数並んで形成されており、
前記耳掛けは、下側の前記通し孔から上側の前記通し孔に順に、前記布地の内側から外側に向かって前記通し孔を通され、
これにより、左右の前記耳掛けの左右方向内側に複数のタックが形成されるよう構成されている
ことを特徴とする請求項１〜５のいずれか１項に記載のマスク。
【請求項７】
前記布地が左右に延びる長方形状であって、
前記耳掛けは、前記布地の左右端部から内側に間隔をおいて上下に延びる前記耳掛け孔を有し、前記耳掛け孔よりも左右方向内側に間隔をおいて、前記布地の上端から下方に向かって入れられた切込線によって形成され、
前記本体部は、前記耳掛けを形成する切込線の左右方向内側部分であり、
前記下顎角囲み部は、前記布地の下側かつ前記本体部の左右方向外側部分である
ことを特徴とする請求項１〜６のいずれか１項に記載のマスク。
【請求項８】
前記布地の厚みは、０．８ｍｍ〜２．０ｍｍ、好ましくは、１．０ｍｍ〜１．５ｍｍである
ことを特徴とする請求項１〜７のいずれか１項に記載のマスク。
【請求項９】
前記通し孔は、左右方向に間隔をおいて複数設けられており、
前記耳掛けは、ユーザーの顔の大きさに応じて、前記通し孔のうちのいずれかに通される
ことを特徴とする請求項１〜８のいずれか１項に記載のマスク。
【発明の詳細な説明】
【技術分野】
【０００１】
本発明は、鼻および口を覆うマスクに関し、特に、低コストで大量生産することができるマスクに関する。
【背景技術】
【０００２】
従来のマスクには、口と鼻を覆う形状で、花粉、ホコリなどの粒子が体内に侵入するのを抑制し、かぜなどの咳やクシャミの飛沫の飛散を抑制することを目的に使用される衛生用マスクがある。衛生用マスク本体の素材として、ガーゼおよび不織布が主に用いられている。そして、衛生用マスクの形状として、ガーゼタイプでは平型が主に採用され、不織布タイプでは、プリーツ型、立体型が採用されている。
【０００３】
例えば、特許文献１に開示のマスクは、不織布タイプのプリーツ型であって、不織布からなるマスク本体と、ノーズフィット部材と、左右一対の装着紐と、を備える。マスク本体には、プリーツ、ギャザーが上下方向に複数併設されており、これにより、マスク本体は、上下方向に拡げることができる。ノーズフィット部材は、軟質の針金などからなり、マスク本体の上部に設けられる。ノーズフィット部材は、マスク本体を着用者の鼻にフィットさせ、これにより、鼻の側方側の隙間を略閉塞させる。装着紐は、伸縮性のある素材からなり、マスク本体の左右に熱接着などによって設けられる。
【０００４】
このように、衛生用マスクは、上記目的を達成するためには、マスクを顔に密着させ、マスクと顔との隙間を閉塞させるよう立体性が要求される。一方、上記マスクの場合、マスク本体、ノーズフィット部材および装着紐をそれぞれ加工した後、マスク本体にノーズフィット部材および装着紐を設けるための加工がさらに必要であり、その分、製造コストおよび製造時間がかかる。
【先行技術文献】
【特許文献】
【０００５】
【特許文献１】特開２０１９−２６９９５号公報
【発明の概要】
【発明が解決しようとする課題】
【０００６】
そこで、本発明が解決しようとする課題は、立体的に装着することができ、しかも、縫製および接着不要により低コストで大量生産することができるマスクを提供することにある。
【課題を解決するための手段】
【０００７】
上記課題を解決するために、本発明に係るマスクは、
伸縮性および弾力性を有する１枚の平板状の布地からなり、
布地は、
装着時に鼻、口およびおとがいを覆う本体部と、
耳掛け孔を有し、本体部の左右にそれぞれ形成された耳掛けと、
耳掛けよりも左右方向内側、かつ、布地の上下方向中間部から上端までの任意の位置に形成され、耳掛けを通すための左右の通し孔と、
布地の下側かつ本体部の左右方向外側部分であって装着時に下顎角部を覆う下顎角囲み部と、を備え、
耳掛けを布地の内側から外側に向かって通し孔に通し、本体部を鼻および口にあてて耳掛けを左右に引っ張って耳に掛けることにより、本体部の上側および中央が鼻および口を覆うとともに本体部の下側がおとがいをくるみ、かつ、下顎角囲み部が下顎角部をくるむよう構成されている、ことを特徴とする。
【０００８】
上記マスクは、好ましくは、
布地が、ポリウレタンを含むとともに、ハイテンションニットによって構成されている。
【０００９】
上記マスクは、好ましくは、
布地が、ポリウレタンを含むとともに、ダンボールニットによって構成されている。
【００１０】
上記マスクは、好ましくは、
布地が、ポリウレタンを７重量％〜１５重量％含むとともに、ポリエステル、絹、綿、麻、羊毛、レーヨン、キュプラ、テンセル、ナイロン、ポリエチレン、トリアセテート、ジアセテートのいずれかを８５重量％〜９３重量％含む。
【００１１】
上記マスクは、好ましくは、
通し孔が、上下に延びる切込線からなる。
【００１２】
上記マスクは、好ましくは、
通し孔が、上下に複数並んで形成されており、
耳掛けが、下側の通し孔から上側の通し孔に順に、布地の内側から外側に向かって通し孔を通され、
これにより、左右の耳掛けの左右方向内側に複数のタックが形成されるよう構成されている。
【００１３】
上記マスクは、例えば、
布地が左右に延びる長方形状であって、
耳掛けが、布地の左右端部から内側に間隔をおいて上下に延びる耳掛け孔を有し、耳掛け孔よりも左右方向内側に間隔をおいて、布地の上端から下方に向かって入れられた切込線によって形成され、
本体部が、耳掛けを形成する切込線の左右方向内側部分であり、
下顎角囲み部が、布地の下側かつ本体部の左右方向外側部分である。
【００１４】
上記マスクは、好ましくは、
布地の厚みが、０．８ｍｍ〜２．０ｍｍ、好ましくは、１．０ｍｍ〜１．５ｍｍである。
【００１５】
上記マスクは、好ましくは、
通し孔が、左右方向に間隔をおいて複数設けられており、
耳掛けは、ユーザーの顔の大きさに応じて、通し孔のうちのいずれかに通される。
【発明の効果】
【００１６】
本発明に係るマスクは、立体的に装着することができ、しかも、縫製および接着不要により低コストで大量生産することができる。
【図面の簡単な説明】
【００１７】
【図１】本発明の第１実施例に係るマスクの内側を示す平面図である。
【図２】ＡおよびＢは、図１の耳掛け部を通し孔に通す方法を示す平面図である。
【図３】図１のマスクが装着されたところを示す斜視図である。
【図４】本発明の第２実施例に係るマスクの内側を示す平面図である。
【図５】図４の耳掛け部を通し孔に通す順序を示す平面図である。
【図６】図４のマスクが装着されたところを示す斜視図である。
【図７】Ａは本発明に係るマスクの変形例を示すマスク内側の平面図であり、ＢはＡの耳掛け部を通し孔に通す方法を示す平面図である。
【図８】本発明に係るマスクの別の変形例を示すマスク内側の平面図である。
【発明を実施するための形態】
【００１８】
以下、図を参照しつつ、本発明に係るマスクの各実施例について説明する。なお、左右方向および上下方向については、図中の両矢印ＸおよびＺを基準にしている。
【００１９】
＜第１実施例＞
＜マスク＞
まず、図１を参照して、マスクＭの構成について説明する。図１は、本発明の第１実施例に係るマスクＭの内側を示す平面図である。マスクＭは、１枚の平板状の布地１からなる。
【００２０】
布地１は、ポリエステルを８５重量％〜９３重量％、ポリウレタンを７重量％〜１５重量％含む。これにより、マスクＭは、裁断部がほつれることを防止される。また、布地１は、ハイテンションニットからなり、より好ましくは、ダンボールニットからなる。さらに、布地１の厚みは、０．８ｍｍ〜２．０ｍｍ、好ましくは、１．０ｍｍ〜１．５ｍｍで構成される。これらにより、マスクＭは、伸縮性および弾力性を有する。
【００２１】
布地１の輪郭は、大まかには、中央より上側が略台形と水平部分とからなるハット状に形成され、中央から下側がそれよりも幅広の略逆台形に形成されている。布地１の左右端部は、円弧状に形成され、布地１の下側の輪郭は、両円弧の下側から中央に向かって水平に延びた後、斜め下に向かって下降させられ上記逆台形の斜辺を形成している。布地１の輪郭は、油圧式裁断機によって裁断されている。
【００２２】
図１に示すように、マスクＭは、本体部１０と、耳掛け孔１２と、耳掛け１４と、通し孔１６と、下顎角囲み部１８と、を備える。
【００２３】
本体部１０は、図１の中央仮想枠が示すように、布地１の左右方向中央部分であり、ユーザーの鼻、口およびおとがいを覆う。
【００２４】
耳掛け孔１２は、ユーザーの耳が通される孔であって、本体部１０の左右方向中間部から外側に延びる切込線によって形成されている。耳掛け孔１２は、例えば、楕円状にくり抜かれてもよい。
【００２５】
耳掛け１４は、耳掛け孔１２の周囲部分からなり、ユーザーの耳に掛けられる。
【００２６】
通し孔１６は、耳掛け１４が通される孔であって、上側台形の両端において、上下方向に延びる切込線によって形成されている。本実施例では、通し孔１６は、ユーザーの顔の大きさに対応できるように、本体部１０の左右に左右方向に並んで２つずつ形成されている。左右の通し孔１６は、ユーザーの顔の大きさに応じて、耳掛け１４を内側または外側にそれぞれ通される。具体的には、ユーザーの顔が大きい場合には外側の通し孔１６に、ユーザーの顔が小さい場合には内側の通し孔１６に、耳掛け１４が通される。
【００２７】
下顎角囲み部１８は、ユーザーの下顎角部を覆う部分であって、図１の左右仮想枠が示すように、本体部１０下側の左右に形成されている。
【００２８】
耳掛け孔１２および通し孔１６を形成する切込線は、油圧式裁断機によって布地１の輪郭とともに一度に加工されている。なお、本実施例におけるマスクＭは、油圧式裁断機によって加工されているが、単なる一例であって、加工方法は特に限定されない。布地１は、ポリウレタンを含むことにより断ち切り裁断によっても、伸縮および洗濯の際にほつれることを防止されている。マスクＭは、１枚の平板状の生地を裁断機によって一度に裁断するだけで製造でき、追加の縫製および接着が不要であるので、低コストで大量生産することができる。
【００２９】
＜装着方法＞
次いで、図２および図３を参照して、マスクＭの装着方法について説明する。
【００３０】
（１）図２Ａおよび図２Ｂに示すように、まず、耳掛け１４を布地１の内側から外側に向かって通し孔１６に通す。本実施例では、耳掛け１４を左右に並んだ通し孔１６のうちの外側の通し孔１６に通している。
【００３１】
（２）次いで、本体部１０をユーザーＵの鼻および口にあてがうとともに、耳掛け１４を左右方向に引っ張り、図３に示すように、耳掛け孔１２に耳を通し、耳掛け１４を耳に掛ける。これにより、本体部１０の上側および中央が鼻および口を覆うとともに、図３の矢印が示すように、本体部１０の下側がおとがいをくるみ、かつ、下顎角囲み部１８が下顎角部をくるむ。その結果、本体部１０が鼻、口、およびおとがいを適切に囲みこみ、下顎角囲み部１８が下顎角を適切に囲いこむので、ユーザーＵは、マスクＭを立体的に装着することができる。
【００３２】
また、マスクＭは、ポリエステルおよびポリウレタンから構成されていることにより、さらりとした付け心地で長時間の使用であってもユーザーＵに快適さを提供することができる。また、マスクＭは、図２Ｂに示すように、耳掛け１４を布地１の内側から外側に向かって通し孔１６を通すことにより、下顎角囲み部１８が内側に倒れ込み、かつ、弾力性を有する布地１から構成されているので、下顎角囲み部１８が下顎角に適切にあてがわれる。
【００３３】
＜第２実施例＞
次いで、図４〜図６を参照して、本発明の第２実施例に係るマスクＭについて説明する。なお、第２実施例に係るマスクＭの布地１の材質および編み方については、第１実施例と共通しているので、詳細な説明を省略する。また、第１実施例と同様の構成については、同様の参照符号を付し、その詳細な説明を省略することがある。
【００３４】
＜マスク＞
はじめに、図４を参照して、第２実施例に係るマスクＭの構成について説明する。図４は、第２実施例に係るマスクＭの内側を示す。マスクＭは、第１実施例と同様の１枚の平板状の布地１からなる。布地１の輪郭は、公知の裁断機によって横長の長方形状に形成されている。
【００３５】
図４に示すように、マスクＭは、本体部１０と、耳掛け孔１２と、耳掛け１４と、通し孔１６と、下顎角囲み部１８と、を備える。
【００３６】
本体部１０は、図４の中央仮想枠が示すように、布地１の左右方向中央部分であり、ユーザーの鼻、口、およびおとがいを覆う。
【００３７】
耳掛け孔１２は、布地１の左右方向端部から内側に間隔をおいて、上下に延びる切込線によって形成されている。
【００３８】
耳掛け１４は、耳掛け孔１２より少し内側において、布地１の上端から上下方向中央まで入れられた切込線Ｓによって形成されている。
【００３９】
通し孔１６は、複数であって、切込線Ｓよりさらに内側において、上下に延びる複数の切込線によってそれぞれ形成されている。より具体的には、通し孔１６は、本体部１０の左右において、それぞれ２列、かつ、１列当たり３つずつ上下に並んで形成されている。耳掛け１４は、ユーザーの顔の大きさに応じて、内側の列かまたは外側の列の通し孔１６に通される。
【００４０】
図５の仮想線矢印が示すように、耳掛け１４は、下側の通し孔１６から上側の通し孔１６に順に、布地１の内側から外側に向かって通し孔１６を通され、図６に示すように、左右の耳掛け１４の内側に複数（本実施例では４つ）のタック２０が形成されるよう構成されている。
【００４１】
下顎角囲み部１８は、ユーザーの顔の下顎角部を覆う部分であって、図４の左右の仮想枠が示すように、本体部１０下側の左右部分である。
【００４２】
マスクＭは、第１実施例と同様に、公知の裁断機によって布地１を一度に裁断されることにより加工されてもよい。布地１は、第１実施例と同様に、ポリウレタンを含むことにより断ち切り裁断によってもほつれることがない。
【００４３】
＜装着方法＞
次いで、図５および図６を参照して、マスクＭの装着方法について説明する。
【００４４】
図５に示すように、まず、耳掛け１４を、下側の通し孔１６から上側の通し孔１６に順に、布地１の内側から外側に向かって通し孔１６を通す。本実施例では、耳掛け１４を外側の列の通し孔１６に通している。そして、耳掛け１４を左右に引っ張ることにより、図６に示すように、複数のタック２０を形成する。本実施例では、耳掛け１４を３つの通し孔１６に通すことにより、ひとかたまりになった４つのタック２０を形成している。
【００４５】
次いで、図６に示すように、本体部１０をユーザーＵの鼻および口にあてがうとともに、耳掛け１４をさらに左右方向に引っ張り、耳掛け孔１２に耳を通し、耳掛け１４を耳に掛ける。これにより、本体部１０の左右および下端がひとかたまりになったタック２０に向かって引っ張られ、本体部１０の上側および中央が鼻および口を覆うとともに本体部１０の下側がおとがいをくるみ、かつ、下顎角囲み部１８がその弾力性によって適切に下顎角部をくるむ。その結果、本体部１０が鼻、口、およびおとがいを適切に囲いこみ、下顎角囲み部１８が下顎角を適切に囲いこむので、ユーザーＵは、マスクＭを立体的に装着することができる。
【００４６】
本実施例では、通し孔１６が上下方向に複数形成され、耳掛け孔１２が複数の通し孔１６に順に通されることにより本体部１０の中央上側の左右端を束ね、その結果、本体部１０および下顎角囲み部１８がユーザーＵの顔を囲むように立体的に形成される。さらに、マスクＭは、１枚の平板状の生地を裁断機によって裁断するだけで製造でき、追加の縫製および接着が不要であるので、低コストで大量生産することができることは、第１実施例と同様である。しかも、本実施例のマスクＭは、長方形状の布地１から切込線のみによって形成され廃棄する部分がないので、製造における廃棄物の発生を大幅に削減することができる。
【００４７】
以上、本発明に係るマスクの実施例について説明してきたが、本発明は、上記実施例に限定されるものではない。本発明に係るマスクは、例えば、次のような変形例によって実施されてもよい。
【００４８】
・図７に示すように、マスクＭの左右辺は、耳掛け１４の上端よりも下方に形成され、本体部１０の上辺が山状に形成されていてもよい。これにより、図７のマスクＭでは、装着されたとき、本体部１０の頂点が鼻の中腹辺りまでしっかりと覆うとともに、本体部１０の山部分が頂点から通し孔１６にかけて斜めに引っ張られるので、本体部１０がよりしっかりと顔にフィットする。
【００４９】
・布地１は、例えば、ポリウレタンを７重量％〜１５重量％、絹、綿、麻、羊毛、レーヨン、キュプラ、テンセル、ナイロン、ポリエチレン、トリアセテート、ジアセテートのいずれかを８５重量％〜９３重量％含んでもよい。または、布地１は、ポリエステルを１００重量％含み、細い糸番手を用いて撚り回数を多くすることにより弾性を持たせたポリエステル糸によって構成されることにより、伸縮性および弾力性を有してもよい。
【００５０】
・布地１は、例えば、その構成要素の糸の撚糸回数によってほつれを防止してもよい。
【００５１】
・マスクＭは、例えば、図８に示す変形例のマスクＭでもよい。図８に示すように、布地１は、長方形からなり、耳掛け孔１２は、布地１の左右端から間隔をおいて上下に延びる切込線によって形成されている。耳掛け１４は、耳掛け孔１２よりも少し内側に間隔をおいて布地１の上端から上下方向中間部まで入れられた切込線Ｓによって形成され、通し孔１６は、切込線Ｓから内側に間隔をおいて上下に延びる複数（本変形例では４つ）の切込線によってそれぞれ形成されている。さらに、通し孔１６は、最上段の通し孔１６からさらに内側に間隔をおいて１つ設けられている。本変形例では、耳掛け１４は、ユーザーの顔の大きさに応じて、最上段の通し孔１６のうちの外側かまたは内側の通し孔１６に通される。すなわち、本変形例では、ユーザーの顔の大きさに対応させる追加の通し孔１６が最上段にのみ配置されている。これにより、本変形例のマスクＭは、第２実施例のマスクＭに比して、密閉度が高くなっている。また、このマスクＭの耳掛け孔１２の上方のスペースは、第２実施例のマスクＭの耳掛け孔の上方のスペースよりも大きく設けている。そのため、ユーザーは、このスペースをはさみなどで切り込みを入れることにより、耳掛け孔をさらに大きくすることができる。
【符号の説明】
【００５２】
Ｍ  マスク
Ｓ  切込線
Ｕ  ユーザー
１  布地
１０  本体部
１２  耳掛け孔
１４  耳掛け
１６  通し孔
１８  下顎角囲み部
２０  タック
【要約】
【課題】立体的に装着することができ、かつ、縫製および接着不要により低コストで大量生産する。
【解決手段】マスクＭは、伸縮性および弾力性を有する１枚の平板状の布地１からなり、布地１は、鼻、口およびおとがいを覆う本体部１０と、耳掛け孔１２を有し本体部１０の左右にそれぞれ形成された耳掛け１４と、耳掛け１４よりも左右方向内側、かつ、布地１の上下方向中間部から上端までの任意の位置に形成され、耳掛け１４を通すための左右の通し孔１６と、装着時に顔の下顎角部を囲む下顎角囲み部１８と、を備える。耳掛け１４を布地１の内側から外側に向かって通し孔１６に通し、本体部１０を鼻および口にあてて耳掛け１４を左右に引っ張り耳に掛けることにより、本体部１０の上側および中央が鼻および口を覆うとともに本体部１０の下側がおとがいをくるみ、かつ、下顎角囲み部１８が下顎角部をくるむ。
【選択図】図１【図１】
0006944212.tif 000002
【図２】
0006944212.tif 000003
【図３】
0006944212.tif 000004
【図４】
0006944212.tif 000005
【図５】
0006944212.tif 000006
【図６】
0006944212.tif 000007
【図７】
0006944212.tif 000008
【図８】
0006944212.tif 000009